(57)【要約】【課題】通気性に優れたシューズを提供する。【解決手段】ベロ２は、複数の領域Ｓ１，Ｓ２，Ｓ３に分割された甲接地面２４を備える。複数の領域Ｓ１，Ｓ２，Ｓ３のそれぞれにパッド２６が配置されることにより、ベロ２には複数のパッド２６が設けられる。隣り合うパッド２６が、互いに接することがないように間隔を空けて配置されることで、甲接地面２４上に複数の溝２７が形成される。複数の溝２７が、シューズ１の内部と外部との間において流通する空気の流路２８を形成する。【選択図】図３
0003228531.tif 000002
【実用新案登録請求の範囲】
【請求項１】
ベロ（２）を備えるシューズ（１）において、
前記ベロ（２）は、複数の領域（Ｓ１，Ｓ２，Ｓ３）に分割された甲接地面（２４）を備え、
前記複数の領域（Ｓ１，Ｓ２，Ｓ３）のそれぞれにパッド（２６）が配置されることにより、前記ベロ（２）には複数のパッド（２６）が設けられ、
隣り合う前記パッド（２６）が、互いに接することがないように間隔を空けて配置されることで、前記甲接地面（２４）上に複数の溝（２７）が形成され、
前記複数の溝（２７）が、前記シューズ（１）の内部と外部との間を流通する空気の流路（２８）を形成する
ことを特徴とするシューズ（１）。
【請求項２】
前記複数のパッド（２６）は、
略三角形状のパッド（２６Ａ）と、
前記略三角形状のパッド（２６Ａ）とは間隔を空けて配置される略四角形状のパッド（２６Ｂ，２６Ｃ）とを含む
請求項１に記載のシューズ（１）。
【請求項３】
前記複数のパッド（２６）の数は、三つである
請求項１又は２に記載のシューズ（１）。
【請求項４】
前記流路（２８）は、略Ｙ字形状である
請求項１〜３のいずれか一項に記載のシューズ（１）。
【請求項５】
前記流路（２８）は、
前記内部の側（Ａ２）に配置される、一つの流路（２８Ｂ）と、
前記外部の側（Ａ１）に配置され、前記一つの流路（２８Ｂ）に接続する二つの流路（２８Ａ，２８Ｃ）と、
を含む
請求項１〜４のいずれか一項に記載のシューズ（１）。
【請求項６】
前記流路（２８）の前記内部の側（Ａ２）の端部は、前記ベロ（２）の長手方向（Ａ）を向き、
前記流路（２８）の前記外部の側（Ａ１）の端部は、前記ベロ（２）の長手方向（Ａ）に対して斜め方向を向く
請求項１〜５のいずれか一項に記載のシューズ（１）。
【請求項７】
最も前記外部の側に配置される前記パッド（２６Ａ）の幅（Ｌ１）は、他の前記パッド（２６Ｂ，２６Ｃ）の幅よりも大きい
請求項１〜６のいずれか一項に記載のシューズ（１）。
【考案の詳細な説明】
【技術分野】
【０００１】
本考案は、シューズに関する。
【背景技術】
【０００２】
一般的に、シューズは通気性が低く、内部が蒸れやすい。従来から、蒸れによる着用者の不快感を減らすために、シューズの通気性の改善が求められている。
【０００３】
例えば、特許文献１では、側面部や靴底等の構成を改良することで、上履きの通気性及び速乾性向上を図っている。特許文献２では、サッカー靴用の靴甲の材料を改良することで、安定性と軽量性との両立を図っている。特許文献３では、ニット構成要素を組み込んだアッパーを含む靴が開示されている。
【先行技術文献】
【特許文献】
【０００４】
【特許文献１】特許第５４６８０５９号公報
【特許文献２】特許第６２７７０８５号公報
【特許文献３】特許第６６４９５３７号公報
【考案の概要】
【考案が解決しようとする課題】
【０００５】
シューズの通気性を改善するため、従来からシューズの各部分の改良が行われてきたが、アッパーの中央の開口部を覆うベロ（シュータンとも呼ばれる）には改善の余地がある。
【０００６】
本考案は上記事情に鑑みてなされたものであり、通気性に優れたシューズを提供することを目的とする。
【課題を解決するための手段】
【０００７】
本考案の上記目的は、下記の構成により達成される。
ベロ（２）を備えるシューズ（１）において、
前記ベロ（２）は、複数の領域（Ｓ１，Ｓ２，Ｓ３）に分割された甲接地面（２４）を備え、
前記複数の領域（Ｓ１，Ｓ２，Ｓ３）のそれぞれにパッド（２６）が配置されることにより、前記ベロ（２）には複数のパッド（２６）が設けられ
隣り合う前記パッド（２６）が、互いに接することがないように間隔を空けて配置されることで、前記甲接地面（２４）上に複数の溝（２７）が形成され、
前記複数の溝（２７）が、前記シューズ（１）の内部と外部との間において流通する空気の流路（２８）を形成する
ことを特徴とするシューズ（１）。
【考案の効果】
【０００８】
本考案によれば、通気性に優れたシューズを提供できる。
【図面の簡単な説明】
【０００９】
【図１】シューズの斜視図である。
【図２】シューズを後方から見た図である。
【図３】ベロの裏面側を示す図である。
【図４】ベロの表面側を示す図である。
【図５】ベロにおける空気の流れを示す図である。
【考案を実施するための形態】
【００１０】
以下、本考案の実施形態に係るシューズについて、図面を用いて説明する。以下に説明する構成は、本考案の実施形態としての一例であり、本考案はこれに限定されず、本考案の範囲内で変形が可能である。また、以下の図では、特に説明しない限り、左足用の靴を示すが、本明細書の説明は、右足用の靴にも同様に適用できる。
【００１１】
以下の説明において、図面中の方向Ｘはシューズ１の幅方向を示し、方向Ｙは方向Ｘに直交するシューズ１の長手方向を示し、方向Ｚは方向Ｘ及びＹに直交するシューズ１の高さ方向を示す。
【００１２】
シューズ１の幅方向内方Ｘ１は、幅方向Ｘにおいて左右一対のシューズ１が互いに対向する方向である。シューズ１の幅方向外方Ｘ２は、幅方向内方Ｘ１の逆方向である。
【００１３】
シューズ１の長手方向前方Ｙ１は、シューズ１の爪先側を示す。シューズ１の長手方向後方Ｙ２は、シューズ１の踵側を示す。以後、長手方向前方Ｙ１は「前方Ｙ１」と呼び、長手方向後方Ｙ２は「後方Ｙ２」と呼ぶことがある。
【００１４】
さらに、図中には、シューズ１の高さ方向上方Ｚ１と、シューズ１の高さ方向下方Ｚ２と、が示される。以後、高さ方向上方Ｚ１は「上方Ｚ１」と呼び、高さ方向下方Ｚ２は「下方Ｚ２」と呼ぶことがある。
【００１５】
図１及び図２には、本実施形態に係るシューズ１の外観が示されている。シューズ１は、アッパー３と、ソール４と、ベロ２と、を備える。
【００１６】
（アッパー）
アッパー３は、足を覆って保護する。アッパー３の材料は、特に限定されず、天然皮革、合成皮革、人工皮革等の皮、天然繊維又は化学繊維を用いた布地、ゴム等が例示される。
【００１７】
アッパー３は、長手方向前方Ｙ１に位置する前方部３Ａと、長手方向後方Ｙ２に位置する後方部３Ｂと、を有する。前方部３Ａと後方部３Ｂとは、例えば縫い合わされることにより、連結される。
【００１８】
アッパー３は、足を収容するための内部空間３１を囲むように形成される。内部空間３１は、後方Ｙ２に位置して足を挿入するための後方側空間３１Ａと、後方側空間３１Ａの前方Ｙ１に位置する前方側空間３１Ｂとからなる。
【００１９】
後方側空間３１Ａと前方側空間３１Ｂとは連続している。また、後方側空間３１Ａは、足を挿入するために上方Ｚ１が覆われていないが、前方側空間３１Ｂは、ベロ２と、ベロ２の上方に配置されるシューレース３３と、によって上方Ｚ１が覆われる。
【００２０】
（ソール）
ソール４は、インソール５と、アウトソール６と、を備える。なお、ソール４は、インソール５とアウトソール６との間にミッドソールを備えてもよい。ソール４は、接着等の手段によりアッパー３に固定される。
【００２１】
インソール５は、アウトソール６上に配置される。インソール５は、足底が触れる部材であるため、通気性、吸水性、クッション性等に優れる材料からなることが好ましい。
【００２２】
アウトソール６は、長手方向後方Ｙ２側に、ヒール６１を備える。ヒール６１は、踵の高さ調整のために、必要に応じて設けられる。
【００２３】
（ベロ）
ベロ２は、シューレース３３の下方Ｚ２において前方側空間３１Ｂを覆い、主に足の甲に接触する部材である。
【００２４】
ベロ２は、シューズ１の外部側の第一部材２１（図１及び図４参照）と、シューズ１の内部側（内部空間３１側）の第二部材２２（図２及び図３参照）と、を有する。
【００２５】
図３及び図４において、上方はシューズ１の外部の側Ａ１であり、下方はシューズ１の内部の側Ａ２であり、上下方向はベロ２の長手方向Ａである。なお、図３及び図４における上下方向（ベロ２の長手方向Ａ）は、シューズ１の高さ方向Ｚに一致するとは限らない。ベロ２の傾きによって、ベロ２の長手方向Ａの向きは変化する。したがって、図３及び図４における上下方向（ベロ２の長手方向Ａ）は、高さ方向Ｚに一致することもあり、高さ方向Ｚに対して斜め方向を向くこともあり、長手方向Ｙに一致することもある。以下、シューズ１の外部の側Ａ１及び内部の側Ａ２は、単に「外部側Ａ１」及び「内部側Ａ２」と呼ぶことがある。
【００２６】
一方、図３及び図４における左右方向は、シューズ１の幅方向Ｘと略一致する。
【００２７】
ベロ２の外部側の第一部材２１は、アッパー３の前方部３Ａと連続的かつ一体的に形成されている。したがって、ベロ２の第一部材２１の材料は、アッパー３と同一であり、天然皮革、合成皮革、人工皮革等の皮、天然繊維又は化学繊維を用いた布地、ゴム等が例示される。なお、第一部材２１は、アッパー３と必ずしも一体的に形成されなくてもよく、アッパー３と別体に形成されてアッパー３に縫合等の手段で固定されてもよい。
【００２８】
ベロ２の内部側の第二部材２２は、第一部材２１（アッパー３）とは異なる材料からなる。ベロ２の第二部材２２は、足の甲が触れる部分であるため、通気性、吸水性、クッション性等に優れる材料からなる。
【００２９】
図３及び図４においては、第一部材２１の外周部と第二部材２２の外周部とが糸２３によって縫合されているが、第一部材２１と第二部材２２とを接合する手段は縫合に限られず、例えば接着等によって接合しても構わない。なお、本実施形態のベロ２は、別部材である第一部材２１と第二部材２２とが組み合わされることで構成されているが、ベロ２は、一つの部材から構成されても構わない。
【００３０】
第二部材２２の第一部材２１とは反対側の面（内部空間３１側の面）は、足の甲と接地する甲接地面２４を構成する。
【００３１】
甲接地面２４は、略長方形状を有する。より具体的には、甲接地面２４は、内部側Ａ２の底辺２４Ａと、底辺２４Ａの両端部に接続し、外部側Ａ１に延びる一対の側辺２４Ｂ，２４Ｂと、一対の側辺２４Ｂ，２４Ｂを接続する上辺２４Ｃと、を有する。
【００３２】
底辺２４Ａは、略直線形状である。一対の側辺２４Ｂ，２４Ｂは、幅方向Ｘに膨らむ湾曲形状である。上辺２４Ｃは、外部側Ａ１に膨らむ湾曲形状である。このように、本実施形態の甲接地面２４は、一対の側辺２４Ｂ，２４Ｂ及び上辺２４Ｃが湾曲して、足の甲に対するフィット性に優れる構成とされている。しかし、甲接地面２４の形状や寸法等は特に限定されず、必要に応じて適宜設定されてよい。
【００３３】
甲接地面２４は、外周辺（底辺２４Ａ、一対の側辺２４Ｂ，２４Ｂ、及び上辺２４Ｃ）から一定の隙間を空けて突出する段差面２５を備える。段差面２５の形状は、甲接地面２４と略相似形状である。
【００３４】
甲接地面２４は複数の領域Ｓ１，Ｓ２，Ｓ３に分割され、複数の領域Ｓ１，Ｓ２，Ｓ３のそれぞれにパッド２６が配置される。したがって、ベロ２には複数のパッド２６が設けられる。複数のパッド２６は、弾力性及びクッション性を有している。したがって、複数のパッド２６は、ベロ２を足の甲に対して密着させるとともに、ベロ２が甲部分に当たって着用者が感じる痛みや不快感を軽減する。
【００３５】
甲接地面２４が分割されて設けられる複数の領域の数や形状は、特に限定されるものではないが、本実施形態では、甲接地面２４は三つの第一〜第三領域Ｓ１,Ｓ２，Ｓ３に分割され、これらの第一領域Ｓ１,Ｓ２，Ｓ３それぞれに第一〜第三パッド２６Ａ，２６Ｂ、２６Ｃが配置される。
【００３６】
第一〜第三領域Ｓ１,Ｓ２，Ｓ３の間を仕切る境界線Ｌ，Ｍ，Ｎは、甲接地面２４の略中央Ｏから、それぞれ異なる方向に延びて略Ｙ字形状とされる。第一〜第二領域Ｓ１，Ｓ２の間の境界線Ｌは、外部側Ａ１に対して幅方向内方Ｘ１に傾き、第二〜第三領域Ｓ２，Ｓ３の間の境界線Ｍは、内部側Ａ２に延び、第三〜第一領域Ｓ３，Ｓ１の間の境界線Ｎは、外部側Ａ１に対して幅方向外方Ｘ２に傾く。
【００３７】
第一〜第三パッド２６Ａ，２６Ｂ、２６Ｃはそれぞれ、段差面２５から更に突出する。隣り合う第一〜第三パッド２６Ａ，２６Ｂ、２６Ｃは、互いに接しないように間隔を空けて配置されることで、甲接地面２４（段差面２５）上には、複数の（本実施形態では三つの）溝２７が形成される。
【００３８】
第一パッド２６Ａは、略三角形状であり、境界線Ｌ，Ｎに沿う二辺が略直線形状であり、二辺を接続する底辺が甲接地面２４の上辺２４Ｃに沿うように膨らんだ略湾曲形状である。
【００３９】
第二パッド２６Ｂは、略四角形状であり、第一パッド２６Ａと間隔を空けて境界線Ｌを介して配置されるとともに、第三パッド２６Ｃと間隔を空けて境界線Ｍを介して配置される。第二パッド２６Ｂは、境界線Ｌ，Ｍに沿う略直線形状である二辺と、これら二辺と略平行な他の二辺と、を有する略ひし形状である。
【００４０】
第三パッド２６Ｃは、略四角形状であり、第一パッド２６Ａと間隔を空けて境界線Ｎを介して配置されるとともに、第二パッド２６Ｂと間隔を空けて境界線Ｍを介して配置される。第三パッド２６Ｃは、境界線Ｎ，Ｍに沿う略直線形状である二辺と、これら二辺と略平行な他の二辺と、を有する略ひし形状である。
【００４１】
これら第一〜第三パッド２６Ａ，２６Ｂ、２６Ｃの全体は、境界線Ｍに対して線対称に形成される。なお、ベロ２の全体も、境界線Ｍに対して線対称に形成される。
【００４２】
このように、隣り合う第一〜第三パッド２６Ａ，２６Ｂ、２６Ｃの間に形成される三つの溝２７のうち、境界線Ｌ上に配置されるものを第一溝２７Ａと呼び、境界線Ｍ上に配置されるものを第二溝２７Ｂと呼び、境界線Ｎ上に配置されるものを第三溝２７Ｃと呼ぶ。
【００４３】
第一〜第三溝２７Ａ，２７Ｂ，２７Ｂは、シューズ１の内部と外部との間において流通する空気の流路２８を形成する。流路２８は、内部側Ａ２に配置される、一つの流路（第二溝２７Ｂ）と、当該一つの流路に接続する二つの流路（第一溝２７Ａ及び第三溝２７Ｃ）と、を含む。第一〜第三溝２７Ａ，２７Ｂ，２７Ｃによって形成される空気の流路をそれぞれ、第一〜第三流路２８Ａ，２８Ｂ，２８Ｃと呼ぶ。
【００４４】
流路２８の内部側Ａ２の端部、すなわち第二流路２８Ｂの内部側Ａ２の端部は、ベロ２の長手方向Ａを向いている。このような構成とすることで、前方側空間３１Ｂの奥側（つま先側）まで流路２８Ｂを延在させることができる。それにより、図５に矢印で示すように、蒸れやすい前方側空間３１Ｂの奥側からの空気が、効率良く第二流路２８Ｂに入り込む。また、外部の空気を効率よく前方側空間３１Ｂの奥側に導入することができる。
【００４５】
第二流路２８Ｂは、甲接地面２４の略中央Ｏまで、外部側Ａ１に延び、第一及び第三流路２８Ａ，２８Ｃと合流する。第一及び第三流路２８Ａ，２８Ｃはそれぞれ、境界線Ｌ，Ｎに沿うように、ベロ２の長手方向に対して斜め方向に延びる。したがって、図５に矢印で示すように、第二流路２８Ｂに入り込んだシューズ１の内部の空気は、第一及び第三流路２８Ａ，２８Ｃに分岐し、効率よくシューズ１の外部へ流出することができる。また、第一及び第三流路２８Ａ，２８Ｃから外部の空気を効率よく第二流路２８Ｂに導入することができる。したがって、シューズ１の通気性を向上できる。
【００４６】
流路２８の外部側Ａ１の端部、すなわち、第一及び第三流路２８Ａ，２８Ｃの外部側Ａ１の端部は、ベロ２の長手方向Ａに対して斜め方向を向く。したがって、最も外部側Ａ１にある第一パッド２６Ａの幅方向Ｘの幅Ｌ１を大きく設定して、第一パッド２６Ａの面積を大きくでき、足の甲への密着性（クッション性）を確保できる。
【００４７】
なお、第一及び第三流路２８Ａ，２８Ｃは幅方向Ｘに平行となるように形成されてもよい。この場合、第一パッド２６Ａの幅Ｌ１をさらに大きくし、第一パッド２６Ａの面積を大きくすることができるが、第二流路２８Ｂと第一及び第三流路２８Ａ，２８Ｃとの接続が９０度となるので、空気の流れの効率が低下する可能性がある。
【００４８】
また、流路２８は、第一パッド２６Ａを長手方向Ａに貫くように延びてもよいが、この場合、第一パッド２６Ａが幅方向Ｘに分割されてしまうので、第一パッド２６Ａの足の甲への密着性（クッション性）が、低下してしまう可能性がある。
【００４９】
したがって、流路２８中の空気の流通効率と、パッド２６の足の甲への密着性と、を両立するためには、第一及び第三流路２８Ａ，２８Ｃの外部側Ａ１の端部がベロ２の長手方向Ａに対して斜め方向を向くことが好ましい。
【００５０】
さらに、複数のパッド２６のうち、最も外部側Ａ１にあるパッド（本実施形態では第一パッド２６Ａ）の幅方向Ｘの幅Ｌ１は、他のパッド（本実施形態では第二及び第三パッド２６Ｂ，２６Ｃ）の幅方向Ｘの幅Ｌ２，Ｌ３よりも大きいことが好ましい（Ｌ１＞Ｌ２、Ｌ１＞Ｌ３）。これにより、パッド２６の足の甲への密着性（クッション性）を、さらに向上できる。なお、第一〜第三パッド２６Ａ〜２６Ｃの幅方向Ｘの幅Ｌ１〜Ｌ３は、ベロ２の長手方向Ａにおいて一定でなくてもよい。
【００５１】
また、本例では幅方向Ｘにおいて、第一パッド２６Ａの幅Ｌ１は、第二パッド２６Ｂの幅Ｌ２と第三パッド２６Ｃの幅Ｌ３と第二流路２８Ｂの幅Ｌ４とを足した幅よりも大きい（Ｌ１＞Ｌ２＋Ｌ３＋Ｌ４）。したがって、第一パッド２６Ａの内部側Ａ２の二辺が、第二及び第三パッド２６Ｂ，２６Ｃよりも、幅方向内方Ｘ１側及び幅方向外方Ｘ２側に延在する。換言すれば、第二パッド２６Ｂの幅方向内方Ｘ１側の端部及び第三パッド２６Ｃの幅方向外方Ｘ２側の端部が、第一パッド２６Ａの内部側Ａ２の二辺に各々対向する位置となる。そのため、第一流路２８Ａの幅方向内方Ｘ１側の端部及び第三流路２８Ｃの幅方向外方Ｘ２側の端部は、第一パッド２６Ａの内部側Ａ２の二辺における幅方向内方Ｘ１側及び幅方向外方Ｘ２側の各端部よりも甲接地面２４の略中央Ｏ側に位置することとなる。したがって、第一及び第三流路２８Ａ，２８Ｃの長さが短くなり、空気の流通効率を高めることができる。
【００５２】
なお、甲接地面２４が分割されて設けられる複数の領域の数や形状は、特に限定されるものではなく、さらに、それぞれの領域に設けられるパッド２６の個数や形状も、特に限定されない。したがって、隣り合うパッド２６の間に形成される溝２７（流路２８）の個数や形状も、特に限定されない。これらの構成は、シューズ１の用途に応じて、クッション性と通気性を考慮して、決定すればよい。
【符号の説明】
【００５３】
１  シューズ
２  ベロ
２１  第一部材
２２  第二部材
２３  糸
２４  甲接地面
２４Ａ  底辺
２４Ｂ  側辺
２４Ｃ  上辺
２５  段差面
２６，２６Ａ，２６Ｂ，２６Ｃ  パッド
２７，２７Ａ，２７Ｂ，２７Ｃ  溝
２８，２８Ａ，２８Ｂ，２８Ｃ  流路
３  アッパー
３Ａ  前方部
３Ｂ  後方部
３１  内部空間
３１Ａ  後方側空間
３１Ｂ  前方側空間
３３  シューレース
４  ソール
５  インソール
６  アウトソール
６１  ヒール
【図１】
0003228531.tif 000003
【図２】
0003228531.tif 000004
【図３】
0003228531.tif 000005
【図４】
0003228531.tif 000006
【図５】
0003228531.tif 000007